(57)【要約】【課題】光学系の精度を損なうことなしに、ライブビューモードでの画像表示及び撮影が可能な撮像装置を提供する。【解決手段】本発明に係わる撮像装置（１０）は、メインミラー（１３）及びファインダスクリーン（１５）を定位置から角度調整位置まで回動させるミラー／スクリーン駆動手段（１１０）を備え、制御手段（９０）において、ライブビューモード時にミラー／スクリーン駆動手段（１１０）を制御して、メインミラー（１３）及びファインダスクリーン（１５）を定位置から角度調整位置まで回動させ、ファインダスクリーン（１５）と被写体光検出手段（５０）の睨み角度とを合わせるとともに、この被写体光検出手段（５０）をライブビュー用の撮像手段として機能させるようにしている。【選択図】図１
2010185901.tif 000002
【特許請求の範囲】
【請求項１】
被写体光による像を撮像する撮像手段と、
前記被写体光を定位置で撮影者の目視方向へ反射する反射材からなり、定位置から回動自在に構成されたメインミラーと、
前記メインミラーで反射された被写体光を結像する光学部材からなり、定位置から回動自在に構成されたファインダスクリーンと、
前記ファインダスクリーンで結像された被写体光による像を撮影者の目視方向へ導くペンタプリズムと、
前記ファインダスクリーンに結像された被写体光を前記ペンタプリズムを介して検出する被写体光検出手段と、
前記メインミラー及び前記ファインダスクリーンを定位置から角度調整位置まで回動させるミラー／スクリーン駆動手段と、
ライブビューモード時に前記ミラー／スクリーン駆動手段を制御して、前記メインミラー及び前記ファインダスクリーンを定位置から角度調整位置まで回動させ、前記ファインダスクリーンと前記被写体光検出手段の睨み角度とを合わせるとともに、当該被写体光検出手段をライブビュー用の撮像手段として機能させる制御手段と、
を備えることを特徴とする撮像装置。
【請求項２】
請求項１に記載の撮像装置であって、
前記被写体光検出手段は、
静止画撮影時に被写体光の輝度を検出する測光センサであり、ライブビューモード時にライブビュー用の撮像手段として機能すること、
を特徴とする撮像装置。
【請求項３】
請求項１又は２に記載の撮像装置であって、
前記メインミラーと連動して定位置から回動自在に構成されたサブミラーを備え、
前記ミラー／スクリーン駆動手段は、
前記メインミラー及び前記ファインダスクリーンを定位置から角度調整位置まで回動させた際に、前記サブミラーの光軸の角度を変化させないこと、
を特徴とする撮像装置。
【発明の詳細な説明】
【技術分野】
【０００１】
本発明は、デジタル一眼レフカメラに関するものである。
【背景技術】
【０００２】
近年、デジタル一眼レフカメラにおいては、コンパクトデジタルカメラと同様に、被写体のスルー画像を背面の液晶モニタに表示させる、いわゆるライブビューモードや動画撮影モード（以下、適宜にライブビューモードと総称する）を搭載した機種が多くなっている。このライブビューモードではミラーアップが必要なため、通常の静止画撮影時に使用している測光センサによる測光情報の取得や、測距センサによる位相差検出方式での自動焦点調節ができない。このため、ライブビューモードに切り替わる直前の測光値やデフォーカス量を参照したり、撮像素子で測光値を求めたり、コントラスト検出方式による自動焦点調節を行っている。
【０００３】
しかし、前者では被写体の位置や明るさが変化したときに適正値で撮影をすることができないという課題がある。後者では、１つの撮像素子で画像表示用の撮像、測光値の取得、自動焦点調節のためのコントラスト情報の取得を交互に行う必要があるため、液晶モニタにおける画像表示の追従性や精度が悪くなるという課題がある。また、ライブビューモードで静止画撮影をしようとすると、ミラーアップしている状態から一度ミラーダウン動作を行い、測光センサで測光情報を取得したり、測距センサによる位相差検出方式で自動焦点調節を行い、再びミラーアップして撮像素子による撮像を行うなどの動作となるため、レリーズボタンが押されてから実際に撮影が開始されるまでの間にタイムラグが発生し、シャッタチャンスを逃すおそれがある。また、連続するミラーダウン時の音に対して撮影者が違和感を覚えることも考えられる。これに対して、ペンタプリズムの近傍にライブビュー専用の撮像素子を設けた機種が登場している（例えば、特許文献１参照）。
【先行技術文献】
【特許文献】
【０００４】
【特許文献１】特開２００８−９００４４号公報
【発明の概要】
【発明が解決しようとする課題】
【０００５】
上記のような機種では、ライブビュー時にミラーアップする必要がなく、静止画撮影用の測光センサや測距センサを用いることができるため、違和感のない撮影を行うことができる。しかし、このような機能を実現するために、ペンタプリズムをミラーにより構成し、ライブビューモード時にそのミラーの一部を動かして、光軸をライブビュー専用の撮像素子に導くようにしている。このため、ミラーの駆動機構を設けたことによる光学的な誤差や、部品及び組み立て精度のばらつきが生じやすく、光学系の精度が悪くなるという課題を有するものであった。
【０００６】
本発明の課題は、光学系の精度を損なうことなしに、ライブビューモードでの画像表示及び撮影が可能な撮像装置を提供することにある。
【課題を解決するための手段】
【０００７】
本発明は、以下のような解決手段により前記課題を解決する。なお、理解を容易にするために、本発明の実施形態に対応する符号を付して説明するが、これに限定されるものではない。
請求項１に記載の発明は、被写体光による像を撮像する撮像手段（８０）と、前記被写体光を定位置で撮影者の目視方向へ反射する反射材からなり、定位置から回動自在に構成されたメインミラー（１３）と、前記メインミラーで反射された被写体光を結像する光学部材からなり、定位置から回動自在に構成されたファインダスクリーン（１５）と、前記ファインダスクリーンで結像された被写体光による像を撮影者の目視方向へ導くペンタプリズム（１６）と、前記ファインダスクリーンに結像された被写体光を前記ペンタプリズムを介して検出する被写体光検出手段（５０）と、前記メインミラー及び前記ファインダスクリーンを定位置から角度調整位置まで回動させるミラー／スクリーン駆動手段（１１０）と、ライブビューモード時に前記ミラー／スクリーン駆動手段を制御して、前記メインミラー及び前記ファインダスクリーンを定位置から角度調整位置まで回動させ、前記ファインダスクリーンと前記被写体光検出手段の睨み角度とを合わせるとともに、当該被写体光検出手段をライブビュー用の撮像手段として機能させる制御手段（９０）とを備えることを特徴とする撮像装置である。
請求項２に記載の発明は、請求項１に記載の撮像装置であって、前記被写体光検出手段（５０）は、静止画撮影時に被写体光の輝度を検出する測光センサであり、ライブビューモード時には、ライブビュー用の撮像手段として機能することを特徴とする。
請求項３に記載の発明は、請求項１又は２に記載の撮像装置であって、前記メインミラー（１３）と連動して定位置から回動自在に構成されたサブミラー（１４）を備え、前記ミラー／スクリーン駆動手段（１１０）は、前記メインミラー及び前記ファインダスクリーンを定位置から角度調整位置まで回動させた際に、前記サブミラーの光軸の角度を変化させないことを特徴とする。
なお、符号を付して説明した構成は、適宜改良してもよく、また、少なくとも一部を他の構成物に代替してもよい。
【発明の効果】
【０００８】
本発明によれば、光学系の精度を損なうことなしに、ライブビューモードでの画像表示及び撮影が可能な撮像装置を提供することができる。
【図面の簡単な説明】
【０００９】
【図１】実施形態に係わるカメラの中央断面図である。
【図２】図１においてミラーアップさせたときの中央断面図である。
【図３】カメラの機能的な構成を示すブロック図である。
【図４】ミラー／スクリーン駆動部の構成図である。
【図５】ミラー／スクリーン駆動部の構成図である。
【図６】図１においてメインミラーとファインダスクリーンを角度調整位置まで回動させたときの中央断面図である。
【発明を実施するための形態】
【００１０】
以下、図面を参照して、本発明に係わる撮像装置をデジタル一眼レフカメラに適用した場合の実施形態について説明する。なお、以下に示す各図においては、各部の配置、構造、形状などを簡略化するとともに、断面のハッチングなどを適宜に省略している。
【００１１】
図１は、本実施形態に係わるカメラ１０の中央断面図である。カメラ１０はデジタル一眼レフカメラであり、主要部として、カメラ本体部１１、液晶モニタ１２、マウント部２０、ミラーユニット３０、ファインダ部４０、測光センサ部５０、測距センサ部６０、シャッタ部７０、撮像部８０を備えている。
【００１２】
カメラ本体部１１は、カメラ１０の各部が固定されるメインフレームであり、被写体側の端面にマウント部２０が設けられている。マウント部２０には、撮影レンズや絞りユニットなどを備えた不図示のレンズ鏡筒が着脱自在に装着される。このレンズ鏡筒における前記撮影レンズは、入射した被写体光を屈折させてカメラ本体部１１側に出射する撮影光学系である。図１では、被写体光の光軸を符号「Ａ」で示している。また、前記絞りユニットは、撮影レンズを通過した被写体光の光量を絞り羽根により調節するものであり、その調節は機械的又は電気的に制御されている。
【００１３】
液晶モニタ１２は、カメラ本体部１１の背面に設けられ、撮像部８０で撮影した静止画像やライブビュー画像のほか、操作に関連した情報などを表示する液晶ディスプレイによって構成されている。なお、撮像部８０で撮影した被写体光による像を液晶モニタ１２でリアルタイムに表示することを一般にライブビューという。
【００１４】
ミラーユニット３０は、メインミラー１３、サブミラー１４及び不図示のミラー駆動部を備えている。メインミラー１３及びサブミラー１４は、撮影時以外は定位置に保持されており、撮影時に所定方向に回動するように構成されている。このミラーユニット３０は、マウント部２０に装着された不図示のレンズ鏡筒を通過した被写体光が入射する位置に設けられ、被写体光をファインダ部４０又はシャッタ部７０及び撮像部８０に入射させる機能を備えている。また、ミラーユニット３０には、メインミラー１３、サブミラー１４及びファインダスクリーン１５を定位置から角度調整位置まで回動させる不図示のミラー／スクリーン駆動部が設けられている。これらミラー駆動部及びミラー／スクリーン駆動部は、後述する制御部９０により、それぞれ独立して動作するように制御されている。
【００１５】
メインミラー１３は、被写体光をファインダ部４０に反射させる反射材であり、不図示のメインミラー保持枠に保持されている。このメインミラー１３の中央部には光の一部を透過させる特性を有する半透過ミラーが用いられている。すなわち、メインミラー１３は、被写体光の一部を透過させてサブミラー１４に被写体光を入射させるようになっている。
【００１６】
サブミラー１４は、メインミラー１３を透過した被写体光の一部を測距センサ部６０に反射させる反射材であり、不図示のサブミラー保持枠に保持されている。サブミラー１４はメインミラー１３に対して回動自在に取り付けられており、その回動によりメインミラー１３に折り畳まれた状態及びメインミラー１３の裏側で起立した状態となる。
【００１７】
メインミラー１３及びサブミラー１４は、撮影前においては、図１に示す定位置（ミラーダウン状態）において、被写体光をファインダ部４０及び測距センサ部６０へそれぞれ反射している。このうち、ファインダ部４０への反射により、撮影者は接眼ユニット１７を通じて被写体を観察できる状態となる。そして、静止画撮影のために不図示のレリーズボタンが押されると、上述したミラー駆動部によりメインミラー１３が上方に回動してペンタプリズム１６側へ退避し、それと連動するようにサブミラー１４も上方に回動してメインミラー１３に重なるように折り畳まれ、図２に示すようなミラーアップ状態となる。これにより、被写体光がミラーユニット３０の後側に配置されているシャッタ部７０及び撮像部８０に入射されて撮影が可能となる。そして、撮影終了後には、ミラー駆動部によりメインミラー１３及びサブミラー１４がともに下方に回動して、図１に示す定位置に復帰する。
【００１８】
ファインダ部４０は、ファインダスクリーン１５、ペンタプリズム１６及び接眼ユニット１７を備えている。ファインダスクリーン１５は、ミラーユニット３０の上方に配置された光学部材であり、ミラーユニット３０で反射された被写体光が結像することにより像が形成される。ファインダスクリーン１５上の被写体光は、ペンタプリズム１６によって接眼ユニット１７に導かれる。これにより、撮影者はファインダ１８を覗いて被写体光による像を観察することができる。
【００１９】
また、ファインダスクリーン１５は、図１に示す定位置において、被写体光の一部を分岐させ、この分岐光をペンタプリズム１６を介して測光センサ部５０へ導いている。このファインダスクリーン１５は、後述するように、図１に示す定位置から所定方向に回動自在となるように構成されている。ペンタプリズム１６は、ファインダスクリーン１５の上方に配置され、ファインダスクリーン１５上に結像された被写体光による像を接眼ユニット１７へ出射するガラス製のプリズムにより構成されている。接眼ユニット１７は、ペンタプリズム１６から出射された被写体光が入射する位置に配置された光学部材であり、被写体光による像を所定の倍率に拡大する部分である。ファインダ１８は、接眼ユニット１７の後方側に配置された接眼光学系であり、撮影者が目視する部分である。
【００２０】
測光センサ部５０は、ペンタプリズム１６から出射された分岐光（被写体光）の輝度を検出する部分であり、三角プリズム５１、測光レンズ５２及び測光センサ５３により構成されている。図１の状態では、ファインダスクリーン１５の結像面と測光センサ５３の睨み角度とは直交しておらず、測光センサ部５０はファインダスクリーン１５上の被写体光の輝度を斜め方向から検出している。この測光センサ部５０は、静止画撮影モードでは被写体光の輝度を検出する輝度検出手段として機能し、ライブビューモードではライブビュー用の撮像手段として機能する。
【００２１】
測距センサ部６０は、サブミラー１４で反射した被写体光を入射して、位相差検出方式により被写体光のデフォーカス量を検出する部分であり、不図示の集光レンズ、セパレータレンズ、ラインセンサにより構成されている。この測距センサ部６０は、サブミラー１４の下方に固定配置されている。
【００２２】
シャッタ部７０は、ミラーユニット３０の後方に配置されており、撮影時にメインミラー１３及びサブミラー１４がミラーアップしたときに被写体光が入射される。シャッタ部７０は不図示の複数のシャッタ羽根を備えており、レリーズボタンなどによる撮影指示に応じてシャッタ羽根を開閉させて、撮像部８０に被写体光を入射する。
【００２３】
撮像部８０は、被写体光による像を撮像する撮像手段であり、シャッタ部７０を通過した被写体光が入射する位置に設けられている。撮像部８０は、ローパスフィルタ８１及び撮像素子８２を備えている。撮像素子８２はローパスフィルタ８１の後方に規則的に配置されたフォトダイオード及びＣＣＤ又はＣＭＯＳなどで構成されている。撮像部８０では、入射した被写体光を露光して電気的な画像信号に変換し、後述の画像処理部へ出力する。
【００２４】
図３は、カメラ１０の機能的な構成を示すブロック図である。この図３では、図１と同等部分を同一符号で示している。以下、各部について説明する。
【００２５】
画像処理部８３は、撮像部８０から出力された画像信号に対し、ノイズ除去、Ａ／Ｄ変換、色補正処理、サイズ変更、符号化などの、アナログ及びデジタルの処理を行うことにより画像データを作成する。この画像データはＤＲＡＭ９３に一時的に記憶される。
【００２６】
ＥＥＰＲＯＭ９１は、カメラ１０の電源がオフしても記憶した情報を保持する不揮発性メモリであり、ユーザ設定やカスタム設定などの入力情報が記憶される。
【００２７】
ＲＯＭ９２は、カメラ１０の動作や制御に必要なプログラムのほか、このプログラムの実行に必要な初期値や設定値などが記憶される。
【００２８】
ＤＲＡＭ９３は、カメラ１０の電源がオフしたときに記憶した情報が消去される揮発性メモリであり、上述した画像データのほか、画像処理部８３、制御部９０などが処理を行う際に必要なデータが一時的に記憶される。
【００２９】
メモリカードＩ／Ｆ（インターフェース）部９４は、ＤＲＡＭ９３に記憶されている画像データをメモリカード９５に記録し、またメモリカード９５に記録されている画像データを読み出す機能を備えた書き込み／読み出し装置である。このメモリカードＩ／Ｆ部９４の図示しないメモリカードスロットには、メモリカード９５が着脱自在に装着される。
【００３０】
制御部９０は、カメラ１０全体の動作を制御する回路であり、マイクロプロセッサにより構成されている。制御部９０では、静止画撮影モードにおいて、レリーズボタンが半押しされると、測距センサ部６０で検出された被写体像のデフォーカス量に基づいてレンズ駆動量を演算する。このレンズ駆動量に関する情報をレンズ鏡筒側の不図示のレンズ制御部へ送信することにより、レンズ鏡筒のレンズ内モータによる焦点調節がなされる。または、このレンズ駆動量に基づいて図示しないボディ内モータを駆動することにより、カップリング機構を介して駆動力がレンズ鏡筒側に伝達されて焦点調節がなされるものであってもよい。
【００３１】
また、制御部９０は、測光センサ部５０により検出された被写体光の輝度や、装着されたレンズ鏡筒のレンズの種類、開放Ｆ値、焦点距離などのレンズ情報のほか、撮影者により設定された撮影モード、図示しない感度設定部から入力された感度情報などに基づいて適正な露出値を演算する。そして、その露出値に応じた絞り値とシャッタスピード値を選択し、不図示のレンズ鏡筒の絞りユニットやシャッタ部７０へ送信することにより、露出制御がなされる。
【００３２】
そして、レリーズボタンが全押しされると、制御部９０は、不図示のミラー駆動部を制御することにより、メインミラー１３とサブミラー１４をともに上方に回動させてミラーアップ状態とし、これと同期して不図示の絞りユニット、シャッタ部７０を所定のタイミングで駆動することにより、撮像部８０において被写体光を撮像させる。
【００３３】
また、制御部９０は、ライブビューモードでは、後述するミラー／スクリーン駆動部１１０を制御して、メインミラー１３及びファインダスクリーン１５を定位置から角度調整位置まで回動させることにより、ファインダスクリーン１５の結像面と測光センサ５３の睨み角度とを直交させて、ファインダスクリーン１５と測光センサ５３の睨み角度を合わせている。また制御部９０は、測光センサ５３をライブビュー用の撮像手段として機能させ、この測光センサ５３で撮像された画像信号を画像処理部８３へ出力するようにしている。
なお、静止画撮影モードとライブビューモードは、例えば撮影者がモード切替えダイアル２１を操作することで切り替えることができる。
【００３４】
次に、ミラー／スクリーン駆動部１１０の構成と動作を図４及び図５を用いて説明する。図４は、メインミラー１３及びファインダスクリーン１５が定位置にあるときの構成図、図５は、メインミラー１３及びファインダスクリーン１５が角度調整位置まで回動したときの構成図である。なお、図４及び図５では、図１に示す各部の形状を簡略化している。
【００３５】
まず、ミラー／スクリーン駆動部１１０の基本的な構成を図４により説明する。図４に示すように、メインミラー１３はメインミラー保持枠１１１に保持されている。このメインミラー保持枠１１１の上端部は回転軸１１２により回動自在に支持され、且つ回転軸１１２を中心として反時計回りの方向に不図示のねじりコイルばねによりばね付勢されている。図中の矢印Ｄ１は、メインミラー保持枠１１１が反時計回りの方向にばね付勢されている状態を模式的に示している。なお、回転軸１１２はカメラ本体部１１に固定配置されており、メインミラー保持枠１１１が回動しても回転軸１１２の位置は変化しない。
【００３６】
また、サブミラー１４はサブミラー保持枠１１４に保持されている。このサブミラー保持枠１１４の上端部は、メインミラー保持枠１１１に取り付けられた回転軸１１５と長穴１１６により遊動自在に支持されている。このサブミラー保持枠１１４の回転軸１１５は不図示のトグルばねによりばね付勢されており、ミラーダウン時には反時計回りの方向にばね付勢され、ミラーアップ時には時計回りの方向に付勢されている。
【００３７】
図４に示すミラーダウン状態において、サブミラー保持枠１１４の反時計回りの方向への回動は位置規制ピン１１９により規制されている。この位置規制ピン１１９はカメラ本体部１１に固定配置されており、サブミラー保持枠１１４は図４に示す位置で静止状態を保っている。図中の矢印Ｄ２は、ミラーダウン時にサブミラー保持枠１１４が反時計回りの方向にばね付勢されている状態を模式的に示している。また、矢印Ｄ３は、ミラーアップ時にサブミラー保持枠１１４が時計回りの方向にばね付勢されている状態を模式的に示している。
【００３８】
サブミラー保持枠１１４の下端部には、略Ｕ字形の凹部１１８が形成されている。この凹部１１８は、図４に示すミラーダウン状態及び図５に示すようにメインミラー保持枠１１１が角度調整位置まで回動した状態においてキャッチピン１１７と係合するように構成されている。一方、ミラーアップ状態では、サブミラー保持枠１１４の凹部１１８とキャッチピン１１７との係合が解除され、サブミラー保持枠１１４はメインミラー保持枠１１１とともに上方に回動することになる。そして、再びミラーダウンすると、図４に示すように、サブミラー保持枠１１４の凹部１１８とキャッチピン１１７とが係合する。
【００３９】
これによれば、図４に示すミラーダウン状態及び図５に示すようにメインミラー保持枠１１１が角度調整位置まで回動した状態でも、サブミラー保持枠１１４の角度は一定に保たれ、サブミラー１４の測距センサ部６０に対する光軸の角度は変化しないことになる。なお、メインミラー保持枠１１１が角度調整位置まで回動したときに、サブミラー１４が水平方向にわずかに移動しても、測距性能に影響を与えることはほとんどない。
【００４０】
ファインダスクリーン１５は、ファインダスクリーン保持枠１２１に保持されている。このファインダスクリーン保持枠１２１は回転軸１２２により回動自在に支持され、且つ回転軸１２２を中心として時計回りの方向に不図示のねじりコイルばねによりばね付勢されている。図中の矢印Ｄ４は、ファインダスクリーン保持枠１２１が時計回りの方向にばね付勢されている状態を模式的に示している。なお、回転軸１２２はカメラ本体部１１に固定配置されており、ファインダスクリーン保持枠１２１が回動しても回転軸１２２の位置は変化しない。
【００４１】
上記メインミラー保持枠１１１及びファインダスクリーン保持枠１２１を定位置から角度調整位置まで回動させるための部材として、駆動レバー１３１が設けられている。この駆動レバー１３１は、不図示の支持機構により図中の上下方向に移動可能となるように構成されており、不図示の引張りコイルばねにより上方向にばね付勢されている。図中の矢印Ｄ５は、駆動レバー１３１が上方向にばね付勢されている状態を模式的に示している。また、駆動レバー１３１は、駆動源となるプッシュ型のソレノイド１３４と連結されている。このソレノイド１３４は、制御部９０からの通電により可動軸１３５が駆動される。すなわち、通電されていない状態では、図４に示すように、可動軸１３５はソレノイド１３４の内部に引き込まれており、通電されると可動軸１３５は引張りコイルばねの付勢力に抗して押し出される。
【００４２】
さらに、駆動レバー１３１の上端部には位置規制ピン１３２、下端部には位置規制ピン１３３がそれぞれ取り付けられている。このうち、位置規制ピン１３２はファインダスクリーン保持枠１２１の時計回りの方向への回動を規制している。また、位置規制ピン１３３はメインミラー保持枠１１１の反時計回りの方向への回動を規制している。すなわち、ソレノイド１３４が動作していない状態では、メインミラー保持枠１１１及びファインダスクリーン保持枠１２１は、図４に示す定位置で静止状態を保っている。
【００４３】
次に、撮影者によりライブビューモードが設定された場合の動作を、図５を用いて説明する。撮影者がモード切替えダイアル２１（図３）を操作して撮影モードを静止画撮影モードからライブビューモードに切り替えると、制御部９０はミラー／スクリーン駆動部１１０のソレノイド１３４に通電を行うとともに、測光センサ５３をライブビュー用の撮像手段として機能させる。
【００４４】
ソレノイド１３４への通電によって、ソレノイド１３４の可動軸１３５は不図示の引張りコイルばねの付勢力に抗して押し出される。このため、この可動軸１３５と連結された駆動レバー１３１も図５に示すように、下（矢印）方向に所定量だけ移動する。このように、駆動レバー１３１が下方向に移動すると、駆動レバー１３１に取り付けられた位置規制ピン１３２、１３３も下方向に移動することになる。
位置規制ピン１３２下方向に移動すると、ファインダスクリーン保持枠１２１は回転軸１２２を中心として時計回りの方向に発生している不図示のねじりコイルばねの付勢力に抗して、図４に示す定位置から図５に示す角度調整位置まで回動する。同様に、位置規制ピン１３３が下方向に移動すると、メインミラー保持枠１１１は回転軸１１２を中心として反時計回りの方向に発生している不図示のねじりコイルばねの付勢力に抗して、図４に示す定位置から図５に示す角度調整位置まで回動する。
【００４５】
このとき、メインミラー保持枠１１１の回転軸１１５はサブミラー保持枠１１４の長穴１１６に沿って移動する。このため、メインミラー保持枠１１１が回動することにより反時計回りの方向に発生する応力はサブミラー保持枠１１４へ伝えられることがない。また、ミラーダウン状態において、サブミラー保持枠１１４の凹部１１８とキャッチピン１１７との係合は保持されたままとなっている。このため、メインミラー保持枠１１１が回動しても、サブミラー保持枠１１４の角度は一定に保たれ、サブミラー１４の測距センサ部６０に対する光軸の角度は変化せず、定位置に保たれることになる。
【００４６】
この結果、図６に示すように、ファインダスクリーン１５の結像面と、測光センサ５３の睨み角度とが直交することになり、測光センサ５３はファインダスクリーン１５上の被写体光による像を正面方向から検出することになる。これにより、ライブビュー用の撮像手段として機能する測光センサ５３で撮像される画像は、ファインダスクリーン１５上の被写体光による像を正面方向から撮像した画像となるため、液晶モニタ１２には、歪みのない画像が表示されることになる。
【００４７】
ちなみに、ファインダスクリーン１５とメインミラー１３が定位置にある状態で測光センサ５３を撮像手段として機能させた場合は、ファインダスクリーン１５の結像面と測光センサ５３の睨み角度とが直交していないため、測光センサ５３はファインダスクリーン１５上の被写体光による像を斜め方向から撮像することになる。このように、被写体光による像を斜め方向から撮像すると、測光センサ５３に入射する被写体光の光量が減るだけでなく、画面の縦横比が異なった画像となり、またピント位置が画像の上下で異なるなどの問題が生じることになる。しかしながら、本実施形態のカメラ１０では、ファインダスクリーン１５の結像面と測光センサ５３の睨み角度とが直交しているため、上記のような問題を生じることはない。
【００４８】
なお、測光センサ５３は、撮像素子８２と同じＣＣＤなどで構成されているが、静止画撮影モードとは異なり、ライブビューモードでは被写体が認識できる程度の解像度があればよいため、測光センサ５３の画素数が撮像素子８２よりも少なくても実用上問題となることはない。一方、動画撮影モードでは、撮像する素子の画素数が多いと画像データが膨大な量になるため、画素数の少ない測光センサ５３で撮像することによりデータ量を少なくすることができる。また、より高画素の動画撮影を行いたい場合は、図２のミラーアップ状態で撮像素子８２による動画撮影も可能である。
【００４９】
また、メインミラー１３が角度調整位置まで回動しても、サブミラー１４の測距センサ部６０に対する光軸の角度は変化しないため、ライブビューモード時においても、静止画撮影モード時と同じく測距センサ部６０による位相差検出方式での焦点調節が可能となる。ちなみに、サブミラー１４の測距センサ部６０に対する光軸の角度が変化してしまうと、測距センサ部６０における焦点調節の精度や速度が低下するという問題を生じることになる。しかしながら、本実施形態のカメラ１０では、サブミラー１４の測距センサ部６０に対する光軸の角度は変化しないため、上記のような問題を生じることはない。
【００５０】
さらに、ライブビューモード時における被写体光の測光は、撮像素子として機能している測光センサ５３で行うことができる。この測光センサ５３の画素数は撮像素子よりも少ないため、データ処理を高速で行うことができる。
【００５１】
なお、ライブビューモード状態から静止画像の撮影指示（レリーズボタンの全押し）が行われると、図２に示すミラーアップ状態となり、撮像素子８２により静止画像の撮影が行われる。
【００５２】
上述した実施形態によれば、以下の効果を奏する。
（１）ガラス製のペンタプリズム１６を用いることができるため、ペンタプリズムをミラーにより構成し、そのミラーの一部を動かす駆動機構を設ける必要がない。このため、光学的な誤差や、部品及び組み立て精度のばらつきが生じにくく、光学系の精度が低下するのを防ぐことができる。したがって、光学系の精度を損なうことなしに、ライブビューモードや動画撮影モードでの画像表示及び撮影が可能となる。また、ガラス製のペンタプリズム１６を用いることにより、ペンタプリズムをミラーにより構成した場合に比べてファインダの倍率を大きくすることができ、またファインダを明るくすることができる。
（２）静止画撮影用の測光センサ５３を、ライブビュー用の撮像手段として兼用するようにしたので、別途ライブビュー専用の撮像手段を設けた場合に比べてコスト増を抑えることができる。
（３）メインミラー１３が角度調整位置まで回動しても、サブミラー１４の測距センサ部６０に対する光軸の角度は変化しないので、静止画撮影モード時と同じく測距センサによる位相差検出方式での焦点調節が可能となる。したがって、測距センサ部６０における焦点調節の精度や速度が低下することがなく、高速で精度の高い焦点調節を行うことができる。
（変形形態）
【００５３】
以上、説明した実施形態に限定されることなく、以下に示すような種々の変形や変更が可能であり、それらも本発明の範囲内である。
（１）位置規制ピン１１９、１３２、１３３を偏芯ピンとしてもよい。偏芯ピンとすることにより、位置規制ピン１１９、１３２、１３３を回転させてその位置を微調整することが可能となる。したがって、ファインダスクリーン１５やメインミラー１３の角度調整位置をカメラごとに調整することができる。
（２）メインミラー１３が角度調整位置まで回動したときに、サブミラー１４の位置が厚み方向に移動するような構成であってもよい。この場合には、測距センサ部６０で検出されるデフォーカス量をサブミラー１４の移動量に応じて調節することにより、正しいデフォーカス量を得ることができる。
（３）メインミラー１３を角度調整位置まで回動したときに、サブミラー１４の光軸の角度が変化するような構成であってもよい。この場合には、測光センサ５３で得られたコントラスト情報を用いることにより、コントラスト検出方式による自動焦点調節を行うことができる。
【００５４】
上記の実施形態は、適宜に組み合わせて用いることもできるが、実施形態の構成は図示により明らかであるため、詳細な説明は省略する。また、本発明は以上説明した実施形態によって限定されることはない。
【符号の説明】
【００５５】
１０：カメラ、３０：ミラーユニット、４０：ファインダ部、５０：測光センサ部、６０：測距センサ部、７０：シャッタ部、８０：撮像部、９０：制御部、１００：ミラー駆動部、１１０：ミラー／スクリーン駆動部
【図１】
2010185901.tif 000003
【図２】
2010185901.tif 000004
【図３】
2010185901.tif 000005
【図４】
2010185901.tif 000006
【図５】
2010185901.tif 000007
【図６】
2010185901.tif 000008